(57)【要約】【課題】異物挟み込みの検知範囲を拡大して装置使用不能状態の発生を可及的に減少させる。【解決手段】給紙装置は、装置本体１と、昇降自在の給紙台３と、給紙手段７と、第１支点９を中心として揺動可能な給紙カバー８と、給紙カバーに連動して給紙台の動作を停止させるスイッチ１１と、第１支点よりも装置本体の内方に配置された第２支点１６を中心として揺動し、第１支点よりも装置本体の外方に配置された作用点１７を介して給紙カバーに係合した動作レバー１５を具備する。第１支点の真下で異物が挟まったとしても、給紙カバーは、異物に押された動作レバーを介して力を受けて揺動し、スイッチをＯＦＦとするので、給紙台の上昇が停止して異物の噛み込みが未然に防止される。【選択図】図１
2010083620.tif 000002
【特許請求の範囲】
【請求項１】
装置本体と、前記装置本体に昇降自在に設けられて積載された用紙を昇降させる給紙台と、前記装置本体に設けられて前記給紙台に積載された用紙を送り出す給紙手段と、第１支点を中心として揺動可能に前記装置本体に設けられた給紙カバーと、前記給紙カバーの揺動に連動して前記給紙台の動作を停止させるスイッチと、前記第１支点よりも前記装置本体の内方に配置された第２支点を中心として揺動可能に前記装置本体に設けられるとともに前記第１支点よりも前記装置本体の外方に配置された作用点を介して前記給紙カバーに係合された動作レバーと、
を具備することを特徴とする給紙装置。
【請求項２】
装置本体と、少なくともその一部が前記装置本体の外側に露出するように前記装置本体に昇降自在に設けられて積載された用紙を昇降させる給紙台と、前記装置本体に設けられて前記給紙台に積載された用紙を送り出す給紙手段と、前記装置本体の一部をカバーしつつ第１支点を中心として揺動可能に前記装置本体に設けられた給紙カバーと、前記給紙カバーの揺動に連動して前記給紙台の動作を停止させるスイッチと、前記第１支点よりも前記装置本体の内方に配置された第２支点を中心として揺動可能に前記装置本体に設けられるとともに前記第１支点よりも前記装置本体の外方に配置された作用点を介して前記給紙カバーに係合され、外力によって前記第２支点を中心として揺動すると前記作用点を介して前記給紙カバーを揺動させることにより前記スイッチを作動させて前記給紙台の動作を停止させる動作レバーと、
を具備することを特徴とする給紙装置。
【請求項３】
その一面に開口部が形成されるとともに、前記開口部の内面には上下方向に案内溝が形成されている装置本体と、
前記装置本体の開口部から少なくとも一部が外側に露出するように、前記案内溝に係合して昇降自在に設けられ、その上面に積載された用紙を昇降させる給紙台と、
前記装置本体の前記開口部の上部に設けられて前記給紙台に積載された用紙を前記装置本体の内部に向かう給紙方向に送り出す給紙手段と、
前記装置本体の前記開口部の上部において、前記装置本体の一部をカバーしつつ、前記給紙方向に関して前記案内溝と同一の位置又は前記案内溝よりも前記装置本体の外側の位置で水平に配置された第１支点を中心として揺動可能となるように設けられた給紙カバーと、
前記装置本体と前記給紙カバーの間に設けられ、前記給紙カバーの揺動に連動して前記給紙台の動作を停止させるスイッチと、
前記装置本体の前記開口部の上部において、前記給紙方向に関して前記第１支点よりも前記装置本体の内方の位置に配置された第２支点を中心として揺動可能となるように前記装置本体に設けられるとともに、前記給紙方向に関して前記第１支点よりも前記装置本体の外方の位置に配置された作用点を介して前記給紙カバーに係合され、外力によって前記第２支点を中心として揺動すると前記作用点を介して前記給紙カバーを揺動させることにより前記スイッチを作動させて前記給紙台の動作を停止させる動作レバーと、
を具備することを特徴とする給紙装置。
【請求項４】
前記動作レバーは、前記給紙台の幅方向の両端部に対応する２つの位置にそれぞれ設けられていることを特徴とする請求項１乃至３のいずれか一つに記載の給紙装置。
【発明の詳細な説明】
【技術分野】
【０００１】
本発明は、昇降自在の給紙台に載置した用紙を給紙手段で取り込んで給送することができ、昇降する給紙台と装置本体の間に異物が挟み込まれた場合にはスイッチが働いて給紙台の動作を停止するように構成した給紙装置に係り、特に、給紙台を停止させるべき異物挟み込みの検知範囲を拡大することにより、異物の挟み込みにより装置が使用できなくなる可能性を従来よりも減少させた給紙装置に関するものである。
【背景技術】
【０００２】
孔版印刷装置等の画像形成装置は、用紙を画像形成部に供給する給紙装置が備えられているのが普通である。このような給紙装置としては、用紙を積載した給紙台の全体が装置本体の内部に引出し自在に収納されるタイプのものもあるが、用紙を積載する給紙台の一部が装置本体の開口から外に突出しているタイプのものもある。後者のタイプでは、給紙台は装置本体に対して昇降自在とされており、用紙は装置本体の外側から給紙台上に積載する。そして、画像形成部への給紙は、装置本体に設けられた給紙手段によって一番上の用紙から行なわれ、用紙の減少に伴って給紙台を上昇させて一番上の用紙が常に給紙手段に接するようになっている。
【０００３】
特許文献１には、昇降可能な給紙台の一部が装置本体の外に突出している上述したような給紙装置を備えた画像形成装置が記載されている。特に、この画像形成装置では、装置本体の給紙開口部に手が入ることを防止するために、装置本体の開口部内で昇降する給紙台の下方の開口部を、シート状弾性体で覆ったことを特徴としている。
【特許文献１】特開平９−８６６８２号公報
【発明の開示】
【発明が解決しようとする課題】
【０００４】
給紙台の一部が装置本体の外に突出している上述したような給紙装置では、装置本体の開口部の内部で給紙台が昇降することから、開口部と給紙台の間で何らかの異物が挟まることが考えられ、そのような場合には駆動手段で昇降する給紙台と装置本体の間に異物が食い込み、給紙台の移動を機械的にロックしてしまう可能性がある。
【０００５】
このような事象は、上記特許文献１に記載の発明によっても解消されず、仮に、このような事象が発生すると、部材間に食い込んだ異物を取り外すことには困難が予想され、装置を使用可能状態に復帰させるには相応の時間とコストを要し、またその間は装置が使用不可能となってしまい非常に不都合である。
【０００６】
本願発明者等は、このような認識と従来の技術の課題に鑑み、鋭意研究開発に務めた結果、上述したような給紙手段乃至これを備えた画像形成装置において、「異物ロックスイッチ」等と称する停止スイッチを設ける発想を得た。これは、給紙台の昇降範囲内に一つの支点を中心として揺動可能な検知部材を設け、給紙台の駆動を停止させるスイッチを該検知部材に連動させておくものである。何らかの異物が給紙台と装置本体の間にロックされれば、検知部材が回動してスイッチが作動し、給紙台が停止するので、装置が使用不能になるような異物の食い込みが未然に防止される。
【０００７】
ところが、挟み込んだ異物が検知部材に当たって支点を中心にこれを揺動させ、揺動した検知部材がスイッチを作動させる構造であるため、給紙台と装置本体の間に異物が挟み込まれても検知部材が揺動しない場合にはスイッチが作動せず、給紙台の動作を停止させることができないという不都合が発生する。
【０００８】
例えば、給紙台と装置本体の間に異物が挟み込まれると、給紙台の上昇に伴って異物は同方向に移動させられるが、異物の位置によっては検知部材の支点に向けて押される場合が考えられる。この場合には、給紙台と装置本体の間に挟み込まれた異物は、検知部材が回転する際の回転中心となる支点に向けて検知部材を押すこととなるため、検知部材は上昇する給紙台から異物を介して力を受けるものの、支点を中心に自らが回転するような作用を受けることはできない。すなわち、検知部材が揺動するためには、給紙台と装置本体の間にロックされた異物が、検知部材の支点を外したベクトルを以て検知部材を押圧しなければならない。
【０００９】
挟み込んだ異物が検知部材を支点に向けて押すこととなるのを避けるためには、昇降する給紙台よりも装置本体側に後退した位置に検知部材の支点を配置し、給紙台によって持ち上げられる異物が必ず支点以外の位置で検知部材を押し上げるようにすればよいが、上述したような構造の給紙装置では、省スペース設計の要請上、そのような構造を採用しにくかった。
【００１０】
すなわち、省スペース設計のためには、まず給紙台はなるべく装置本体の内側に設置したい。これは、給紙台は多数枚の用紙が載置されるとともに、その上部には可動部分である給紙手段もあり、全体として相当大きい部品であるため、装置本体の外に突出する部分をなるべく小さくしたいからである。また、装置本体の内部にはすでに種々の装置等が空間を余すことなく組み込まれているため、給紙台よりも装置本体側に後退した装置本体の内部に検知部材を配置することは困難であり、検知部材は装置本体の外方に設置せざるを得ない。
【００１１】
このように、給紙台はなるべく装置本体の内側に設置し、検知部材はなるべく装置本体の外側に設置しなければならないという設計の制約上、昇降する給紙台と、支点を含めた検知部材とは、上下方向で見れば同一領域に重なって配置されることとなりやすい。
【００１２】
その結果、給紙台と装置本体との間で異物が挟み込まれ易い位置と、検知部材の揺動中心である支点とが、給紙台の移動方向である上下方向に並んだ構造となりやすく、上述したように給紙台が装置本体との間で異物を挟み込んでも検知部材が回動せず、スイッチが作動しない不都合が発生しやすかった。
【００１３】
本発明は、上述した課題を解決するものであり、昇降自在の給紙台に載置した用紙を給紙手段で取り込んで給送し、昇降する給紙台と装置本体の間に異物が挟み込まれた場合には異物が検知部材を回動させ、検知部材がスイッチを作動させて給紙台の動作を停止させる給紙装置において、前述した省スペース設計の要請を受けいれつつ、スイッチの個数を増やすことなく、簡易な構造で給紙台を停止させるべき異物挟み込みの検知範囲を拡大することにより、異物の挟み込みにより装置が使用できなくなる可能性を従来よりも減じた使い勝手に優れた給紙装置を提供することを目的としている。
【課題を解決するための手段】
【００１４】
請求項１に記載された給紙装置は、
装置本体と、前記装置本体に昇降自在に設けられて積載された用紙を昇降させる給紙台と、前記装置本体に設けられて前記給紙台に積載された用紙を送り出す給紙手段と、第１支点を中心として揺動可能に前記装置本体に設けられた給紙カバーと、前記給紙カバーの揺動に連動して前記給紙台の動作を停止させるスイッチと、前記第１支点よりも前記装置本体の内方に配置された第２支点を中心として揺動可能に前記装置本体に設けられるとともに前記第１支点よりも前記装置本体の外方に配置された作用点を介して前記給紙カバーに係合された動作レバーと、
を具備することを特徴としている。
【００１５】
請求項２に記載された給紙装置は、
装置本体と、少なくともその一部が前記装置本体の外側に露出するように前記装置本体に昇降自在に設けられて積載された用紙を昇降させる給紙台と、前記装置本体に設けられて前記給紙台に積載された用紙を送り出す給紙手段と、前記装置本体の一部をカバーしつつ第１支点を中心として揺動可能に前記装置本体に設けられた給紙カバーと、前記給紙カバーの揺動に連動して前記給紙台の動作を停止させるスイッチと、前記第１支点よりも前記装置本体の内方に配置された第２支点を中心として揺動可能に前記装置本体に設けられるとともに前記第１支点よりも前記装置本体の外方に配置された作用点を介して前記給紙カバーに係合され、外力によって前記第２支点を中心として揺動すると前記作用点を介して前記給紙カバーを揺動させることにより前記スイッチを作動させて前記給紙台の動作を停止させる動作レバーと、
を具備することを特徴としている。
【００１６】
請求項３に記載された給紙装置は、
その一面に開口部が形成されるとともに、前記開口部の内面には上下方向に案内溝が形成されている装置本体と、
前記装置本体の開口部から少なくとも一部が外側に露出するように、前記案内溝に係合して昇降自在に設けられ、その上面に積載された用紙を昇降させる給紙台と、
前記装置本体の前記開口部の上部に設けられて前記給紙台に積載された用紙を前記装置本体の内部に向かう給紙方向に送り出す給紙手段と、
前記装置本体の前記開口部の上部において、前記装置本体の一部をカバーしつつ、前記給紙方向に関して前記案内溝と同一の位置又は前記案内溝よりも前記装置本体の外側の位置で水平に配置された第１支点を中心として揺動可能となるように設けられた給紙カバーと、
前記装置本体と前記給紙カバーの間に設けられ、前記給紙カバーの揺動に連動して前記給紙台の動作を停止させるスイッチと、
前記装置本体の前記開口部の上部において、前記給紙方向に関して前記第１支点よりも前記装置本体の内方の位置に配置された第２支点を中心として揺動可能となるように前記装置本体に設けられるとともに、前記給紙方向に関して前記第１支点よりも前記装置本体の外方の位置に配置された作用点を介して前記給紙カバーに係合され、外力によって前記第２支点を中心として揺動すると前記作用点を介して前記給紙カバーを揺動させることにより前記スイッチを作動させて前記給紙台の動作を停止させる動作レバーと、
を具備することを特徴としている。
【００１７】
請求項４に記載された給紙装置は、請求項１乃至３のいずれか一つに記載の給紙装置において、
前記動作レバーは、前記給紙台の幅方向の両端部に対応する２つの位置にそれぞれ設けられていることを特徴としている。
【発明の効果】
【００１８】
請求項１乃至３に記載された給紙装置によれば、給紙台と装置本体との間に異物が挟まると、異物が動作レバーを押し上げ、動作レバーは給紙カバーを作用点で押し上げて揺動させ、揺動した給紙カバーがスイッチを作動させて給紙台の上昇を停止させる。ここで動作レバーの揺動中心である第２支点は、昇降する給紙台の範囲外である用紙本体の内方にあるので、給紙台と装置本体の間に異物が挟み込まれれば異物の位置に係わらず動作レバーは確実に異物によって揺動され、その結果として給紙カバーも動作レバーにより確実に揺動し、スイッチが作動する。従って、給紙台の一部が装置本体内に入り込んでいるような省スペース設計を採用するとともに、異物挟み込みによるロックを防止するためのスイッチの個数を増やすこともなく、給紙台を停止させるべき異物挟み込みの検知範囲を簡易な構造によって従来よりも拡大することにより、異物の挟み込みにより装置が使用できなくなる可能性を従来よりも小さくし、給紙装置の使い勝手を向上させることができる。
【００１９】
請求項４に記載された給紙装置によれば、請求項１乃至３のいずれか一つに記載の給紙装置による効果において、さらに、動作レバーが給紙台の幅方向の両端部に対応する２つの位置にそれぞれ設けられているので、昇降する給紙台の幅方向の両端部と、装置本体との間のように、異物が挟み込まれ易い位置で異物を検出することができる。
【発明を実施するための最良の形態】
【００２０】
以下、本発明を実施するために特許出願人が出願時点で最良と思う本発明の実施の形態を図１〜図１０を参照して説明する。
図１は実施形態に係る給紙装置の正面図、図２は同給紙装置を斜め前方から見た斜視図、図３は同給紙装置を斜め後方から見た斜視図、図４は同給紙装置における給紙台の昇降動作を示す図、図５は同給紙装置における通常時のスイッチ作動機構を示す正面図、図６は同給紙装置における通常時のスイッチ作動機構を示す右側面図、図７は同給紙装置における通常時のスイッチ付近を示す右側面から見た拡大図、図８は同給紙装置における動作時のスイッチ作動機構を示す正面図、図９は同給紙装置における動作時のスイッチ作動機構を示す右側面図、図１０は同給紙装置における作動時のスイッチ付近を示す右側面から見た拡大図である。
【００２１】
本実施形態の給紙装置は、例えば孔版印刷装置のような画像形成装置等において、画像形成部に用紙を供給するために構成の一部として組み込まれた装置である。
図１〜図３に示すように、装置本体１の一面には開口部２が形成されており、この開口部２の内側の対向する２つの側面部（正面図である図１においては紙面に平行な正面側と背面側の２面）には、後述する給紙台３を取り付けて昇降動作させるために、上下方向に案内溝４がそれぞれ形成されている。
【００２２】
図１〜図３に示すように、前記装置本体１の開口部２には、上面に用紙を積載するための給紙台３が設けられている。給紙台３は、一端部が自由端として装置本体１の外側に突出しており、他端部が装置本体１の開口部２内に装着され、案内軸５を介して前記案内溝４に係合することにより昇降自在とされている。図示しないが、案内溝４を介して装置本体１の一方の側面部の内部にはモータや駆動ギヤ等を有する駆動手段が設けられており、案内溝４を挿通する一方の案内軸５を介して給紙台３と駆動手段は連結されている。この駆動手段を作動させることにより、図４に示すように給紙台３を案内溝４に沿って上下方向Ｂに昇降させることができる。なお、図４に示すように、給紙台３の上には、給紙方向Ａと平行な一対の給紙フェンス６が設けれられており、この給紙フェンス６は給紙方向Ａと直交する方向に移動可能であり、給紙台３上に載置される用紙が送り出される際に、その両側面を案内することができる。
【００２３】
図２〜図４に示すように、前記装置本体１の前記開口部２の上部には、前記給紙台３に積載された用紙を前記装置本体１の内部に向かう給紙方向Ａに送り出す給紙手段７が設けられている。給紙手段７は、給紙台３に積載された用紙のうち、最も上にある用紙に上側から接触し、一枚ずつ分離して送り出す１以上のローラを備えており、給紙台３を用紙の送り出しに対応して適宜上昇させることにより、最も上にある用紙を一定の状態で装置本体１内部の画像形成部に送り出すことができる。
【００２４】
図１〜図３に示すように、前記装置本体１の前記開口部２の上部には給紙カバー８が設けられている。この給紙カバー８は、前記装置本体１の一部、例えば装置本体１を構成する板金類や、センサ等の電気部品をカバーするための部品である。この給紙カバー８は、開口部２の内側の２つの側面部に近い両端部及び中央部が略箱型であるとともに、その間に凹部が設けられた形状の部材であり、開口部２の上部に設けられた第１支点９を中心として揺動自在とされている。この第１支点９は、給紙方向Ａに関して図１に示すように案内溝４と同一の位置か、又は前記案内溝４よりも前記装置本体１の外側の位置（図１において案内溝４よりも右側の位置）にあり、給紙方向Ａと直交するように水平に配置されている。従って、第１支点９は、図１においては案内溝４の真上の位置に、紙面に垂直な方向に沿って配置されている。
【００２５】
図５〜図１０に示すように、前記装置本体１と前記給紙カバー８の間には、付勢手段としてのばね１０に付勢された給紙カバー８の揺動に連動し、給紙台３の動作を停止させるスイッチ１１が設けられている。本実施形態では、スイッチ１１は装置本体１の板金に固定されている。そして揺動可能な給紙カバー８の一部と、装置本体１の板金との間にばね１０が設けられ、このばね１０が給紙カバー８を引き下げる方向に付勢し、これによって給紙カバー８の一部が、図５及び図８に示すように、スイッチ１１のアクチュエータ１２を押し下げてスイッチ１１を常時ＯＮとしている。
【００２６】
通常時を示す図５〜図７から分かるように、給紙台３がばね１０によって下方に引かれてスイッチ１１をＯＮとしている間、給紙台３の駆動手段は作動可能であり、給紙台３は昇降可能である。
【００２７】
給紙台３の動作時を示す図８〜図１０から分かるように、図示はしないが何らかの異物が挟まって給紙カバー８が押し上げられてスイッチ１１のアクチュエータ１２から離れ、スイッチ１１がＯＦＦになると、給紙台３の駆動手段が作動できなくなる。すなわち、挟み込んだ異物が給紙台３のさらなる移動によって装置本体１との間に噛み込まれて外れなくなってしまう等の不都合が未然に防止できる。
【００２８】
このように、省スペースの要請から、給紙台３はなるべく装置本体１の内側に設置したいが、機器類等を保護する給紙カバー８はなるべく装置本体１の外側に設置したいという設計の制約上、この実施形態においては、図１を参照して説明した通り、昇降する給紙台３の案内溝４と、給紙カバー８の第１支点９は、上下方向について同一の位置に配置されている。
【００２９】
前述した案内溝４は異物が挟み込まれ易い位置であるといえるが、この案内溝４と、挟み込まれた異物に接触して給紙カバー８が揺動する際の中心となる第１支点９とが、給紙台３の移動方向である上下方向に並んでいるため、上述したように案内溝４に異物が挟み込まれても、このままでは異物は給紙カバー８を第１支点９に向けて押すこととなるため、異物の直接の接触によって給紙カバー８が回動することは難しく、スイッチ１１が作動することは困難である。もちろん、案内溝４及び第１支点９のある位置よりも給紙方向Ａについて手前の位置で異物が挟み込まれれば、この異物との直接の接触によって給紙カバー８が揺動し、スイッチ１１がＯＦＦになって給紙台３は停止するが、案内溝４及び第１支点９のある位置又はこれよりも奥で異物が挟まった場合には給紙カバー８が揺動しにくく、スイッチ１１はＯＦＦになりにくい。すなわち、異物の挟まる位置によってはスイッチ１１がＯＦＦになりにくく、給紙カバー８のみで異物を直接検出する構成では異物の検出範囲が狭い。
【００３０】
そこで、このような問題を解消するために、本実施形態では、図１及び図５〜図１０に示すように、装置本体１の開口部２の上部に動作レバー１５が設けられている。この動作レバー１５は、給紙台３と装置本体１の間に挟み込まれた異物によって作動し、その動きを給紙カバー８に伝達してスイッチ１１をＯＦＦとし、これにより給紙台の駆動手段を停止させるための部材であり、後述する支点の配置の関係により、給紙カバー８よりも異物の検出範囲が広く、異物が挟まる位置によらずにスイッチ１１をＯＦＦとすることができる。
【００３１】
図１、図５及び図６に示すように、動作レバー１５は、開口部２の内側の２つの側面部に近い両端部にそれぞれ配置された板状の部材であり、開口部２の上部に設けられた第２支点１６を中心として揺動自在とされている。この第２支点１６は、給紙方向Ａに関して図１に示すように案内溝４よりも装置本体１の内方の位置（図１において案内溝４よりも左側の位置）にあり、給紙方向Ａと直交するように水平に配置されている。従って、第２支点１６は、図１においては案内溝４の左側の位置に、紙面に垂直な姿勢で配置されていることとなる。
【００３２】
図１、図５及び図８に示すように、動作レバー１５は、軸状の作用点１７を介して給紙カバー８に係合している。作用点１７は、前記給紙方向Ａに関して前記第１支点９よりも前記装置本体１の外方の位置（図１において案内溝４よりも右側の位置）に配置されており、給紙方向Ａと直交するように水平に配置されている。従って、作用点１７は、図１においては案内溝４の右側の位置に、紙面に垂直な姿勢で配置されていることとなる。なお、左右の動作レバー１５は図示しない連結部材によって一体とされていてもよいし、それぞれ独立に作動して給紙カバー８に連動することとしてもよい。
【００３３】
次に、図１中に示した動作方向を表す矢印とこれに付記したかっこ付き数字で示す各工程ごとに、以上の構成における作用を適宜図５〜図１０を参照して説明する。
図１中に矢印（１）で示すように、印刷に伴う用紙の給送等のため、駆動手段が作動して給紙台３が上下方向Ｂに沿って上昇する。このとき、何らかの理由で異物が給紙台３の上方に入り込んだものとする。
【００３４】
図１中に矢印（２）で示すように、異物が動作レバー１５に当たって動作レバー１５を上方に揺動させる。動作レバー１５の回動中心である第２支点１６は装置本体１の奥方にあるので、給紙台３の上方位置に入り込んだ異物は、動作レバー１５のいずれの位置で接触したとしても、動作レバー１５を上方に回動させることができる。
【００３５】
図１中に矢印（３）で示すように、上方に揺動した動作レバー１５は、給紙カバー８を押し上げて上方に回動させる。仮に、異物の位置が、給紙カバー８の回転中心である第１支点９の真下であったとしても、給紙カバー８は異物に直接押されて揺動するのではなく、装置本体１の奥方にある第２支点１６を中心に揺動する動作レバー１５を介して異物からの力を受け、上方に揺動するので、異物の位置に係わらず異物からの力を受けて作動することができる。
【００３６】
すなわち、図５〜図７に示すように、異物の挟み込みがない通常時には、給紙台３はばね１０によって下方に引かれてスイッチ１１をＯＮとしており、給紙台３の駆動手段は作動可能な状態であり、給紙台３は昇降可能である。
【００３７】
ところが、図８〜図１０に示すように、何らかの異物が挟まって動作レバー１５が上方に揺動し、動作レバー１５が作用点１７を介して給紙カバー８に上向きの回転力を与えると、給紙カバー８はばね１０の付勢力に抗して上方に揺動し、給紙カバー８の一部がスイッチ１１のアクチュエータ１２から離れてスイッチ１１がＯＦＦになる。これによって給紙台３の駆動手段が作動できなくなり、挟み込んだ異物が給紙台３のさらなる移動によって装置本体１との間に噛み込まれて外れなくなってしまう等の不都合が未然に防止できる。
【００３８】
以上説明した実施形態の孔版印刷装置によれば、給紙台３と装置本体１との間に異物が挟まると、異物が動作レバー１５を押し上げ、動作レバー１５は給紙カバー８を押し上げて揺動させ、揺動した給紙カバー８がスイッチ１１をＯＦＦとさせて給紙台３の上昇を停止させる。ここで動作レバー１５の揺動中心である第２支点１６は、昇降する給紙台３の範囲外である装置本体１の内方にあるので、給紙台３と装置本体１の間に異物が挟み込まれたとしても、その異物の位置に係わらず動作レバー１５は確実に異物によって揺動し、その結果として給紙カバー８も動作レバー１５により確実に揺動し、スイッチ１１がＯＦＦとなる。従って、給紙台３の一部が装置本体１内に入り込んでいるような省スペース設計を採用しながら、異物挟み込みによるロックを防止するためのスイッチ１１の個数を増やすこともなく、給紙台３を停止させるべき異物挟み込みの検知範囲を簡易な構造によって従来よりも拡大することができ、異物の挟み込みにより装置が使用できなくなる不都合が発生しにくくなり、給紙装置の使い勝手を向上させることができる。
【００３９】
特に、実施形態の孔版印刷装置によれば、動作レバー１５が給紙台３の幅方向の両端部に対応する２つの位置にそれぞれ設けられているので、昇降する給紙台３の幅方向の両端部と、装置本体１との間にある案内溝４のように、異物が挟み込まれ易い位置で異物を検出することができる。
【図面の簡単な説明】
【００４０】
【図１】図１は実施形態に係る給紙装置の正面図である。
【図２】図２は同給紙装置を斜め前方から見た斜視図である。
【図３】図３は同給紙装置を斜め後方から見た斜視図である。
【図４】図４は同給紙装置における給紙台の昇降動作を示す図である。
【図５】図５は同給紙装置における通常時のスイッチ作動機構を示す正面図である。
【図６】図６は同給紙装置における通常時のスイッチ作動機構を示す右側面図である。
【図７】図７は同給紙装置における通常時のスイッチ付近を示す右側面から見た拡大図である。
【図８】図８は同給紙装置における動作時のスイッチ作動機構を示す正面図である。
【図９】図９は同給紙装置における動作時のスイッチ作動機構を示す右側面図である。
【図１０】図１０は同給紙装置における動作時のスイッチ付近を示す右側面から見た拡大図である。
【符号の説明】
【００４１】
１…装置本体
２…開口部
３…給紙台
４…案内溝
７…給紙手段
８…給紙カバー
９…第１支点
１１…スイッチ
１５…動作レバー
１６…第２支点
１７…作用点
【図１】
2010083620.tif 000003
【図２】
2010083620.tif 000004
【図４】
2010083620.tif 000005
【図５】
2010083620.tif 000006
【図６】
2010083620.tif 000007
【図７】
2010083620.tif 000008
【図８】
2010083620.tif 000009
【図９】
2010083620.tif 000010
【図１０】
2010083620.tif 000011
【図３】
2010083620.tif 000012